(57)【要約】【課題】冷却装置を制御する方法において、低い冷却出力の領域においても、従来よりも高い冷却効率で二次冷媒を冷却することができる制御方法を提供する。【解決手段】一次冷媒を加圧するコンプレッサ３と、コンプレッサ３により加圧された一次冷媒を冷却する凝縮器４と、凝縮器４により冷却された一次冷媒を膨張させる膨張器５と、膨張器５により膨張された一次冷媒によって、冷却対象装置３０を冷却するための二次冷媒を冷却する蒸発器６とを備えた冷却装置２の動作を制御する方法である。この制御方法では、冷却出力を消費電力で除して得られる冷却効率が、その最大値を含む予め定められた範囲内の値となるような冷却出力に設定してコンプレッサ３を動作させるとともに、コンプレッサ３を断続的に動作させる。【選択図】図４
2020148401.tif 000002
【特許請求の範囲】
【請求項１】
一次冷媒を加圧するコンプレッサと、該コンプレッサにより加圧された一次冷媒を冷却する凝縮器と、該凝縮器により冷却された一次冷媒を膨張させる膨張器と、該膨張器により膨張された一次冷媒によって、冷却対象装置を冷却するための二次冷媒を冷却する蒸発器とを備えた冷却装置の動作を制御する方法であって、
冷却出力を消費電力で除して得られる冷却効率が、その最大値を含む予め定められた範囲内の値となるような冷却出力に設定して前記コンプレッサを動作させるとともに、
前記コンプレッサを断続的に動作させるようにしたことを特徴とする冷却装置の制御方法。
【請求項２】
前記コンプレッサを予め定められた一定の時間間隔で断続的に動作させるようにしたことを特徴とする請求項１記載の冷却装置の制御方法。
【請求項３】
前記コンプレッサを動作させる時間ｔｏｎと、停止させる時間ｔｏｆｆとを、下式により算出される時間としたことを請求項１記載の冷却装置の制御方法。
ｔｏｎ＝α・Ｔｄｉｆｆ／（Ｑｏｎ−Ｑｃｙｃｌｅ）
ｔｏｆｆ＝α・Ｔｄｉｆｆ／（Ｑｃｙｃｌｅ）
但し、αは前記冷却対象装置の熱容量、Ｔｄｉｆｆは前記コンプレッサが稼働している時の前記二次冷媒の温度とコンプレッサが停止している時の前記二次冷媒の温度との温度差、Ｑｏｎは前記冷却出力、Ｑｃｙｃｌｅは、前記冷却対象装置の稼働中に発生する熱量から自然放熱分を除いた熱量の時間当たりの平均値である。

【発明の詳細な説明】
【技術分野】
【０００１】
本発明は、冷却対象装置を冷却するための二次冷媒を一次冷媒によって冷却するように構成された冷却装置の制御方法に関する。
【背景技術】
【０００２】
例えば、工作機械の分野では、主軸が回転することにより、当該主軸を支持するベアリング等が発熱し、この発熱によって主軸やこれを保持する主軸台が熱変位し、このような熱変位により主軸と刃物台との間の相対的な位置関係が変動することによって、加工精度が悪化することが知られている。そこで、従来、主軸や主軸台が熱変位するのを防止するために、適宜冷却システムによって当該主軸や主軸台を冷却するようにしている（下記特許文献１参照）。
【０００３】
このような冷却システムの一般的な構成を図４に示す。同図４に示すように、この冷却システム１は、一次冷媒を冷却し、冷却した一次冷媒との熱交換によって二次冷媒を冷却する冷却装置２と、この冷却装置２によって冷却された二次冷媒を冷却対象装置３０に供給して当該冷却対象装置３０を冷却する対象冷却部１０と、冷却装置２及び対象冷却部１０を制御する制御装置２０とから構成される。尚、一般的に、一次冷媒としては、代替フロンなどの気体が用いられ、二次冷媒としては、グリコール水溶液や鉱物油などの液体が用いられる。また、以下では、一例として、工作機械を冷却対象装置３０として説明する。
【０００４】
前記冷却装置２は、一次冷媒を加圧するコンプレッサ３と、コンプレッサ３により加圧された一次冷媒を冷却する凝縮器４と、凝縮器４により冷却された一次冷媒を膨張させる膨張器５と、膨張器５により膨張された一次冷媒によって二次冷媒を冷却する蒸発器６とを備えている。また、凝縮器４は空冷式の熱交換器４ａ、この熱交換器４ａに送気するファン４ｂ、及びこのファン４ｂを駆動するモータ４ｃからなり、前記熱交換器４ａによって一次冷媒を冷却する。
【０００５】
前記コンプレッサ３と凝縮器４の熱交換器４ａとは管路７ａによって接続され、熱交換器４ａと膨張器５とは管路７ｂによって接続されている。また、膨張器５と蒸発器６とは管路７ｃによって接続され、蒸発器６とコンプレッサ３とは管路７ｄによって接続されている。斯くして、これら管路７ａ，７ｂ，７ｃ，７ｄによって循環路が形成される。
【０００６】
この冷却装置２によれば、コンプレッサ３によって一次冷媒を加圧することにより、その際の断熱圧縮作用により一次冷媒が昇温され、昇温された一次冷媒は管路７ａを通じて熱交換器４ａに流入する。そして、一次冷媒は熱交換器４ａにおける外気との間の熱交換によって冷却された後、管路７ｂを通じて膨張器５に流入する。ついで、一次冷媒は、この膨張器５を通過することにより膨張され、その際の断熱膨張作用によって更に温度が低下した状態となる。この後、一次冷媒は管路７ｃを通して蒸発器６に流入し、この蒸発器６において二次冷媒との熱交換により当該二次冷媒を冷却した後、管路７ｂを通じてコンプレッサ３に還流される。
【０００７】
尚、この冷却装置２では、前記管路７ｃと管路７ｄとはバルブ８が介装された管路９によって連通されており、バルブ８が開いているとき、蒸発器６における熱交換作用により昇温した一次冷媒の一部が前記管路９を通して管路７ｃに流入して、膨張器５から当該管路７ｃに流入した一次冷媒を加温するようになっている。この管路９はバイパス経路を形成する。
【０００８】
一方、前記対象冷却部１０は、二次冷媒が貯留されるタンク１１と、このタンク１１内の二次冷媒を管路１３ａを通じて汲み上げ、汲み上げた二次冷媒を管路１３ｂを通して前記冷却対象装置３０に供給するポンプ１２とを備えており、供給される二次冷媒によって冷却対象装置３０が所定の温度に冷却される。尚、冷却対象装置３０に供給され、当該冷却対象装置３０との熱交換によって昇温した二次冷媒は管路１３ｃを経て蒸発器６に流入し、この蒸発器６における一次冷媒との熱交換により冷却された後、管路１３ｄを通してタンク１１に還流される。斯くして、管路１３ａ，１３ｂ，１３ｃ，１３ｄは、タンク１１と冷却対象装置３０との間で二次冷媒を循環させる循環路を形成する。
【０００９】
前記制御装置２０は、前記コンプレッサ３、凝縮器４のモータ４ｃ、膨張器５、バルブ８及びポンプ１２の作動をそれぞれ制御する。特に、制御装置２０は、冷却対象装置３０の稼働状態に応じて変動する二次冷媒の温度に応じて、前記コンプレッサ３の加圧力を調整して、冷却装置２の冷却出力（言い換えれば、吸熱量）を調整する。
【００１０】
即ち、制御装置２０は、少なくとも、蒸発器６に流入する前の二次冷媒の温度（即ち、一次冷媒との熱交換前の二次冷媒の温度）、蒸発器６から流出した後の二次冷媒の温度（即ち、一次冷媒との熱交換後の二次冷媒の温度）、及び室温に基づいて、所謂、フィードバック制御により、例えば、蒸発器６に流入する前の二次冷媒の温度が室温とほぼ同じ温度になるように、コンプレッサ３の圧力を調整して、冷却装置２の冷却出力を調整する。
【００１１】
より具体的には、例えば、冷却対象装置３０が加工を行っている場合には、その際の発熱量が冷却装置２の設定出力より高い場合には、蒸発器６に流入する前の二次冷媒の温度は徐々に上昇することになるが、この場合、前記制御装置２０は、コンプレッサ３の圧力をより高圧にして、冷却装置２の冷却出力をより高出力にすることによって、二次冷媒から一次冷媒に吸収される熱量を増加させる。
【００１２】
一方、冷却対象装置３０における発熱量が冷却装置２の設定出力より低い場合には、蒸発器６に流入する前の二次冷媒の温度は徐々に下がることになるが、この場合、前記制御装置２０は、コンプレッサ３の圧力をより低圧にして、冷却装置２の冷却出力をより低出力にすることによって、二次冷媒から一次冷媒に吸収される熱量を減少させる。
【００１３】
また、冷却装置２に対して設定されるべき冷却出力が、コンプレッサ３によって実現可能な最低圧力よりも低圧に相当するような低出力の場合には、コンプレッサ３の圧力を最低圧力に設定すると共に、適宜開度となるように前記バルブ８を開いて、蒸発器６における二次冷媒との熱交換によって昇温した一次冷媒の一部を、管路７ｄから管路７ｃに還流させて、蒸発器６に流入する一次冷媒の温度を昇温させ、これにより、一次冷媒による二次冷媒の冷却をごく緩やかなものとする。このような制御を行うことにより、コンプレッサ３の圧力に依存することなく、冷却装置２の冷却出力を低下させることができ、冷却対象装置３０が加工を行っていないアイドリング状態にある場合や、加工負荷が軽負荷である場合など、冷却対象装置３０における発熱量が低い場合でも、当該発熱量に応じた適正な温度制御を行うことができる。
【００１４】
以上のような制御を行うことにより、対象冷却部１０における二次冷媒の温度を、冷却対象装置３０で発生する熱量を除去可能な適正な温度に調整することができ、このようにすることで、当該冷却対象装置３０の温度を一定した温度に維持することができる。
【００１５】
尚、蒸発器６に流入する前の二次冷媒の温度、蒸発器６から流出した後の二次冷媒の温度はそれぞれ管路１３ｃ、１３ｄに設けられた温度センサによって測定され、測定された温度データが前記制御装置に入力される。また、室温は、大気中に配設された温度センサによって測定され、測定された温度データが前記制御装置に入力される。
【先行技術文献】
【特許文献】
【００１６】
【特許文献１】特開２００７−２５３２５５号公報
【発明の概要】
【発明が解決しようとする課題】
【００１７】
ところが、本発明者等が鋭意研究を行ったところによると、上述した従来の冷却システム１には、以下に説明するような問題があった。
【００１８】
図５は、冷却装置２の冷却出力［ｋＷ］と、冷却装置２の消費電力［ｋＷ］及び冷却効率との関係を示したグラフである。尚、冷却効率は以下の算出式によって算出される。
冷却効率＝冷却出力／消費電力
但し、冷却装置２の冷却出力は一次冷媒が二次冷媒から吸収する熱量と等価である。また、消費電力は主にコンプレッサ３及びモータ４ｃによって消費される電力である。
【００１９】
図５に示すように、消費電力は、冷却装置２の冷却出力にほぼ比例しており、冷却出力が高くなれば消費電力も上昇し、冷却出力が低くなれば消費電力は低下する。一方、冷却効率は、冷却出力が所定の値（図５の例では、約０．８）を超えるとほぼ定常状態となり、冷却出力がこの所定値よりも低い領域では、冷却出力が低くなればなるほど、当該冷却出力に比例して冷却効率が低下するという性状を示す。尚、冷却効率が徐々に高くなって、ほぼ定常状態となる冷却出力は、経験的に、冷却装置２の最高出力の約３０％程度である。
【００２０】
したがって、冷却装置２の冷却出力が前記所定値よりも低い値となる領域で当該冷却装置２が運転される場合には、冷却効率が悪いため、無駄に電力が消費されることになる。冷却装置２がこのような低出力領域で運転される状況は、冷却対象装置３０が低負荷の下で稼働しているために発熱量が低く、このため二次冷媒の冷却温度がごく僅かであるような場合である。
【００２１】
尚、従来の冷却装置２において、その冷却出力が前記所定値よりも低い値となる領域で当該冷却装置２を運転した場合に冷却効率が悪くなるのは、コンプレッサ３の圧力を最低圧力に設定した状態で、蒸発器６における二次冷媒との熱交換によって昇温した一次冷媒の一部を、管路７ｄから管路７ｃに還流させて、蒸発器６に流入する一次冷媒の温度を昇温させるようにしたことに原因があると思われる。
【００２２】
本発明は以上の実情に鑑みなされたものであって、冷却装置を制御する方法において、低い冷却出力の領域においても、従来よりも高い冷却効率で二次冷媒を冷却することができる制御方法の提供を、その目的とする。
【課題を解決するための手段】
【００２３】
上記課題を解決するための本発明は、一次冷媒を加圧するコンプレッサと、該コンプレッサにより加圧された一次冷媒を冷却する凝縮器と、該凝縮器により冷却された一次冷媒を膨張させる膨張器と、該膨張器により膨張された一次冷媒によって、冷却対象装置を冷却するための二次冷媒を冷却する蒸発器とを備えた冷却装置の動作を制御する方法であって、
冷却出力を消費電力で除して得られる冷却効率が、その最大値を含む予め定められた範囲内の値となるような冷却出力に設定して前記コンプレッサを動作させるとともに、
前記コンプレッサを断続的に動作させるようにした冷却装置の制御方法に係る。
【００２４】
この制御方法によれば、冷却装置は、冷却効率がその最大値を含む予め定められた範囲内の値となるような冷却出力をその目標値として設定される。そして、前記コンプレッサは、目標とする冷却出力に対応した圧力となるように一次冷媒を加圧する。尚、前記冷却出力は、一次冷媒が二次冷媒から吸収する熱量と等価である。また、冷却効率は、以下の算出式によって算出される。
冷却効率＝冷却出力／消費電力
【００２５】
斯くして、冷却装置は、その冷却効率が最大値を含む予め定められた範囲内となるような、即ち、ある程度高い冷却効率が得られるような冷却出力にその目標値が設定される。そして、冷却装置は、その前記コンプレッサが断続的に動作するように駆動される。即ち、コンプレッサは目標とする冷却出力に対応した圧力となるように一次冷媒を加圧する稼働状態（運転状態）と、一次冷媒を加圧しない停止状態とが、交互に繰り返して実行される。
【００２６】
このように、コンプレッサを断続的に運転することで、冷却装置が発現する実際の冷却出力を低下させるとともに、冷却装置の消費電力を低下させることができ、この結果、低い冷却出力の領域においても、従来よりも高い冷却効率で二次冷媒を冷却することが可能となる。したがって、目標値として設定する冷却出力を可及的に低い出力に設定して、前記コンプレッサを断続的に動作させることで、目標値として設定した冷却出力よりも低い所望の冷却出力を発現させることが可能となる。
【００２７】
斯くして、この制御方法によれば、例えば、冷却対象装置が低負荷の状態で稼働している場合のように、冷却対象装置における発熱量が低く、このため二次冷媒に要する冷却温度がごく僅かであるような場合でも、高い冷却効率で二次冷媒を冷却することができる。
【００２８】
尚、本発明に係る制御方法では、目標値として設定する冷却出力を、高い冷却効率を得ることができるような、ある程度高い冷却出力に設定することができるので、従来のようにバイパスとなる管路を有する冷却装置であっても、当該バイパスとなる管路を作動させないようにすることができる。
【００２９】
また、本発明に係る制御方法では、上述したように、冷却対象装置における発熱量が低く、このため二次冷媒に要する冷却温度がごく僅かであり、要求される冷却出力が低い場合に特に効果的であるが、本発明に係る制御方法を適用可能な冷却出力領域は、このような低い冷却出力領域に限られるものではなく、高い冷却出力領域に適用しても何ら問題は無い。
【００３０】
本発明に係る制御方法では、前記コンプレッサを予め定められた一定の時間間隔で断続的に動作させるのが好ましい。このようにすることで、冷却装置に安定した冷却出力を発現させることができる。
【００３１】
また、本発明に係る制御方法では、前記コンプレッサを動作させる時間ｔｏｎと、停止させる時間ｔｏｆｆとを、下式により算出される時間に設定するのが好ましい。
ｔｏｎ＝α・Ｔｄｉｆｆ／（Ｑｏｎ−Ｑｃｙｃｌｅ）
ｔｏｆｆ＝α・Ｔｄｉｆｆ／（Ｑｃｙｃｌｅ）
但し、αは前記冷却対象装置の熱容量、Ｔｄｉｆｆは前記コンプレッサが稼働している時の前記二次冷媒の温度とコンプレッサが停止している時の前記二次冷媒の温度との温度差、Ｑｏｎは前記冷却出力、Ｑｃｙｃｌｅは、前記冷却対象装置の稼働中に発生する熱量から自然放熱分を除いた熱量の時間当たりの平均値である。
【００３２】
コンプレッサの動作時間ｔｏｎと停止時間ｔｏｆｆとを、上記計算式によって算出された時間に設定することにより、コンプレッサを断続運転させても、冷却装置は、冷却対象装置において発生する熱量分を適正に吸収することができ、この結果、当該冷却対象装置の温度を所望の温度に制御し、維持することができる。
【００３３】
尚、二次冷媒の温度は適宜測温センサなどを用いて測定することができ、Ｑｏｎは冷却装置の出力であるから、適宜任意に設定することができる。また、冷却対象装置の熱容量αはＪＩＳＢ６１９０−３：２０１４（若しくはＩＳＯ２３０−３：２００７）に準拠した実験により、例えば、冷却液の温度をステップ状に変化させて、冷却液の各温度における冷却対象装置の温度を測定し、得られた各温度データを伝熱方程式に当てはめて、パラメータフィッティング処理を施すことによって得ることができる。或いは、熱容量αは、実験ではなく、適宜モデルを用いたコンピュータによる数値解析によって推定することもできる。また、Ｑｃｙｃｌｅは、冷却対象装置を設定された条件で運転するとともに、冷却装置を通常の状態で運転して、その際に得られる冷却装置の出力履歴を時間平均することによって得ることができる。或いは、このＱｃｙｃｌｅについても、実験ではなく、適宜発熱モデルを用いたコンピュータによる数値解析によって推定することもできる。
【００３４】
また、上式においてα・Ｔｄｉｆｆはコンプレッサが動作している間に、冷却装置が二次冷媒から吸収すべき、言い換えれば、二次冷媒を冷却すべき熱量であり、逆の意味では、コンプレッサが停止している間に冷却対象装置に蓄熱された熱量でもある。
また、上式を変形すると、
ｔｏｎ・Ｑｏｎ−ｔｏｎ・Ｑｃｙｃｌｅ＝α・Ｔｄｉｆｆ
ｔｏｆｆ・Ｑｃｙｃｌｅ＝α・Ｔｄｉｆｆ
となるが、この式の、ｔｏｎ・Ｑｏｎはコンプレッサが動作している間に冷却装置が二次冷媒から吸収する熱量を意味し、ｔｏｎ・Ｑｃｙｃｌｅはコンプレッサが動作している間の冷却対象装置における発熱量を意味する。また、ｔｏｆｆ・Ｑｃｙｃｌｅはコンプレッサが停止している間の冷却対象装置における発熱量を意味する。
【発明の効果】
【００３５】
以上説明したように、本発明に係る冷却装置の制御方法によれば、コンプレッサを断続的に運転することで、冷却装置が発現する実際の冷却出力を低下させるとともに、冷却装置の消費電力を低下させることができ、この結果、低い冷却出力の領域においても、従来よりも高い冷却効率で二次冷媒を冷却することが可能となる。したがって、目標値として設定する冷却出力を可及的に低い出力に設定して、前記コンプレッサを断続的に動作させることで、目標値として設定した冷却出力よりも低い所望の冷却出力を発現させることが可能となる。
【００３６】
斯くして、この制御方法によれば、例えば、冷却対象装置が低負荷の状態で稼働している場合のように、冷却対象装置における発熱量が低く、このため二次冷媒に要する冷却温度がごく僅かであるような場合でも、高い冷却効率で二次冷媒を冷却することができる。
【図面の簡単な説明】
【００３７】
【図１】本発明の一実施形態に係る制御方法における効果を説明するための説明図である。
【図２】本発明のより効果的な制御方法を説明するための説明図である。
【図３】本発明のより効果的な制御方法を説明するための説明図である。
【図４】従来の冷却装置の構成を示した説明図である。
【図５】冷却装置の従来の制御方法における問題点を説明するための説明図である。
【発明を実施するための形態】
【００３８】
以下、本発明の一実施の形態に係る冷却装置の制御方法について説明する。尚、当該制御方法は、上述の図４に示した冷却システム１を構成する冷却装置２に対する制御に適用され、具体的には制御装置２０によって実行されるものとする。また、冷却システム１の構成は上述した通りであるので、その詳しい説明は省略する。また、本例では、冷却対象装置３０は一般的な構成を備えたＮＣ旋盤とする。
【００３９】
上述したように、前記制御装置２０は、前記コンプレッサ３、凝縮器４のモータ４ｃ、膨張器５、バルブ８及びポンプ１２の作動をそれぞれ制御する。そして、制御装置２０は、冷却対象装置３０の稼働状態に応じて変動する二次冷媒の温度に応じて、前記コンプレッサ３の圧力を調整して、冷却装置２の冷却出力を調整する。
【００４０】
即ち、制御装置２０は、蒸発器６に流入する前の二次冷媒の温度、蒸発器６から流出した後の二次冷媒の温度、及び室温に係る温度データを、上述した各温度センサから受信し、受信した温度データに基づいて、所謂、フィードバック制御により、蒸発器６に流入する前の二次冷媒の温度が室温とほぼ同じ温度になるように、コンプレッサ３の圧力を調整して、冷却装置２の冷却出力を調整する。
【００４１】
より具体的には、冷却対象装置３０が加工を行っている場合には、その際の発熱量が冷却装置２の設定出力より高い場合には、蒸発器６に流入する前の二次冷媒の温度は徐々に上昇することになるが、この場合、前記制御装置２０は、コンプレッサ３の圧力をより高圧にして、冷却装置２の冷却出力をより高出力にすることによって、二次冷媒から一次冷媒に吸収される熱量を増加させる。
【００４２】
一方、冷却対象装置３０における発熱量が冷却装置２の設定出力より低い場合には、蒸発器６に流入する前の二次冷媒の温度は徐々に下がることになるが、この場合、前記制御装置２０は、コンプレッサ３の圧力をより低圧にして、冷却装置２の冷却出力をより低出力にすることによって、二次冷媒から一次冷媒に吸収される熱量を減少させる。
【００４３】
また、フィードバック制御下で、冷却装置２に対して設定されるべき冷却出力が、図５に示した、冷却効率が定常状態ではない過渡的な状態に対応した領域の出力である場合、具体的には、冷却出力が０．８［ｋＷ］を下回るような場合には、制御装置２は、フィードバック制御から切り換えて、前記コンプレッサ３を断続的に動作させる（この動作を、以下、「断続運転」という。）。
【００４４】
より具体的には、制御装置２０は、図５に示した上述の冷却効率が、その最大値を含む予め定められた許容範囲ΔＲ内の値となるような冷却出力に設定し、動作時には、一次冷媒をかかる冷却出力に対応した圧力に加圧するようにコンプレッサ３を動作させる。尚、前記許容範囲ΔＲは、所望の除去効率が得られるように、経験則に基づいて任意に設定される。また、設定する冷却出力は、許容範囲ΔＲ内の冷却効率が得られる出力であれば制限はないが、より低出力であるのが好ましい。尚、繰り返しになるが、前記冷却出力は、一次冷媒が二次冷媒から吸収する熱量と等価である。また、冷却効率は、以下の算出式によって算出される。
冷却効率＝冷却出力／消費電力
【００４５】
本例の制御方法によれば、冷却装置２は、冷却効率がその最大値を含む予め定められた範囲（許容範囲ΔＲ）内の値となるような冷却出力をその目標値として設定される。そして、コンプレッサ３は、その動作時に、目標とする冷却出力に対応した圧力となるように一次冷媒を加圧する。
【００４６】
斯くして、冷却装置２は、その冷却効率が前記許容範囲ΔＲ内、即ち、ある程度高い冷却効率が得られるような冷却出力にその目標値が設定される。そして、前記コンプレッサ３が断続運転されて、目標とする冷却出力に対応した圧力となるように一次冷媒を加圧する稼働状態（運転状態）と、一次冷媒を加圧しない停止状態とが、交互に繰り返して実行される。
【００４７】
そして、このように、コンプレッサ３を断続運転することで、冷却装置２が発現する実際の冷却出力を低下させるとともに、冷却装置２の消費電力を低下させることができ、この結果、低い冷却出力の領域においても、従来よりも高い冷却効率で二次冷媒を冷却することが可能となる。したがって、目標値として設定する冷却出力を可及的に低い出力に設定して、前記コンプレッサ３を断続的に動作させることで、目標値として設定した冷却出力よりも低い所望の冷却出力を発現させることが可能となる。
【００４８】
斯くして、この制御方法によれば、例えば、冷却対象装置３０が低負荷の状態で稼働している場合のように、冷却対象装置３０における発熱量が低く、このため二次冷媒に要する冷却温度がごく僅かであるような場合でも、高い冷却効率で二次冷媒を冷却することができる。
【００４９】
一般的な構造を有するＮＣ旋盤を用いて軽切削加工を行い、当該加工時に、上述した従来の手法であるフィードバック制御によってコンプレッサ３を連続運転させた場合（従来方法）と、本例の手法に基づいてコンプレッサ３を断続運転させた場合（発明方法）のそれぞれについて、冷却装置２で消費された消費電力を図１（ａ）に示し、図１（ｂ）及び（ｃ）には、それぞれにおける主軸の温度を太い実線で示し、蒸発器６における入口側の二次冷媒の温度を破線で示し、蒸発器６における出口側の二次冷媒の温度を一点鎖線で示し、ベッドの温度を点線で示し、周囲温度を細い実線で示している。
【００５０】
従来方法では、冷却装置２の冷却出力は、フィードバック制御の下で、最高出力の１８−３０［％］に制御され、図１（ａ）に示すように、ほぼ一定の電力が消費された。一方、発明方法では、冷却装置２の冷却出力は、その最高出力の３０［％］に設定され、動作時にこの出力が得られるように、コンプレッサ３が断続運転された。その結果、図１（ａ）に示すように、発明方法では、断続運転に応じてその消費電力が変動した。この結果、従来方法での消費電力は０．２５［ｋＷ］であったが、発明方法における消費電力は０．１９ｋＷとなり、消費電力は２４［％］軽減された。
【００５１】
また、発明方法において、コンプレッサ３の動作時間は全体時間の６０［％］程度である。したがって、冷却装置２における冷却出力の実効値は設定値の６０［％］、即ち、最高出力の１８［％］であると推定される。斯くして、この発明方法によれば、冷却装置２の最高出力の３０［％］という比較的高い出力に相当する電力を用いてコンプレッサ３を動作させても、当該コンプレッサ３を断続運転させることにより、冷却装置２における冷却出力の実効値を、その最高出力の１８［％］という比較的低い出力とすることができる。
【００５２】
このように、発明方法によれば、冷却装置２が発現する実際の冷却出力を低下させるとともに、冷却装置２における消費電力を低下させることができ、この結果、低い冷却出力の領域においても、従来よりも高い冷却効率で二次冷媒を冷却することができる。したがって、目標値として設定する冷却出力を可及的に低い出力に設定して、コンプレッサ３を断続運転することで、目標値として設定した冷却出力よりも低い所望の冷却出力を発現させることが可能となる。斯くして、発明方法によれば、例えば、冷却対象装置３０が低負荷の状態で稼働している場合のように、冷却対象装置３０における発熱量が低く、このため二次冷媒に要する冷却温度がごく僅かであるような場合でも、高い冷却効率で二次冷媒を冷却することができる。
【００５３】
図１に示した例では、図１（ｂ）及び（ｃ）に示すように、従来方法と発明方法とを比較した場合に、室温よりも若干高めではあるが、主軸の温度はほぼ同等に冷却され、所定温度（２８℃付近）に維持されている。
【００５４】
ところで、本発明者等が得た知見によると、コンプレッサ３を予め定めた一定の時間間隔で断続運転させるのが好ましい。このようにすることで、冷却装置２に安定した冷却出力を発現させることができる。
【００５５】
また、断続運転のサイクルの周期は短い方が好ましい。このようにすることで、冷却対象装置３０の熱変位の経時的な変動をより小さくすることができる。図２に比較的長周期でコンプレッサ３を断続運転した例を示し、図３に比較的短周期でコンプレッサ３を断続運転した例を示している。具体的には、図２（ａ）に示すように、図２の例では、運転時間を約１０．８［ｍｉｎ］、停止時間を約７．６［ｍｉｎ］としたサイクルでコンプレッサ３を断続運転した。また、図３（ａ）に示すように、図３の例では、運転時間及び停止時間をそれぞれ約２．２［ｍｉｎ］としたサイクルでコンプレッサ３を断続運転した。尚、いずれの場合も、主軸の回転数を１０００ｒｐｍとして冷却対象装置３０を一定運転し、冷却装置２は、その冷却出力を最高出力の５０［％］に設定して、これを断続運転した。
【００５６】
図２（ｂ）及び図３（ｂ）に、前記冷却対象装置３０の主軸と刃物台との間の相対的な位置変位（以下、「熱変位」という。）であって、Ｘ軸方向、Ｙ軸方向及びＺ軸方向における経時的な熱変位を示している。これらの図から、短いサイクルでコンプレッサ３を断続運転した方が、各熱変位の経時的な変動が小さく、より熱変位を制御し易い状態にあることが分かる。
【００５７】
尚、参考までに、図２（ｃ）及び図３（ｃ）に、主軸の温度を太い実線で示し、ベッドの温度を点線で示し、周囲温度を細い実線で示し、蒸発器６における入口側の二次冷媒の温度を破線で示し、蒸発器６における出口側の二次冷媒の温度を一点鎖線で示している。
【００５８】
また、コンプレッサ３を動作させる時間ｔｏｎと、停止させる時間ｔｏｆｆとは、理論的には、下式により算出するのが好ましい。
ｔｏｎ＝α・Ｔｄｉｆｆ／（Ｑｏｎ−Ｑｃｙｃｌｅ）
ｔｏｆｆ＝α・Ｔｄｉｆｆ／（Ｑｃｙｃｌｅ）
但し、αは前記冷却対象装置３の熱容量であり、ＪＩＳＢ６１９０−３：２０１４（若しくはＩＳＯ２３０−３：２００７）に準拠した実験により、例えば、冷却液の温度をステップ状に変化させて、冷却液の各温度における冷却対象装置の温度を測定し、得られた各温度データを伝熱方程式に当てはめて、パラメータフィッティング処理を施すことによって得ることができる。或いは、熱容量αは、実験ではなく、適宜モデルを用いたコンピュータによる数値解析によって推定することもできる。
また、Ｔｄｉｆｆはコンプレッサ３が稼働している時の二次冷媒の温度とコンプレッサ３が停止している時の二次冷媒の温度との温度差であり、各温度はそれぞれ管路１３ｃ，１３ｄに設けられた温度センサによって測定することができる。
また、Ｑｏｎは上記のようにして設定した冷却出力である。
また、Ｑｃｙｃｌｅは、冷却対象装置３０の稼働中に発生する熱量から自然放熱分を除いた熱量の時間当たりの平均値であり、例えば、冷却対象装置３０を設定された条件で運転するとともに、冷却装置２を通常の状態で運転して、その際に得られる冷却装置２の出力履歴を時間平均することによって得ることができる。或いは、このＱｃｙｃｌｅは、実験ではなく、適宜発熱モデルを用いたコンピュータによる数値解析によって推定することもできる。
【００５９】
尚、上式においてα・Ｔｄｉｆｆはコンプレッサ３が動作している間に、冷却装置２が二次冷媒から吸収すべき、言い換えれば、二次冷媒を冷却すべき熱量であり、逆の意味では、コンプレッサ３が停止している間に冷却対象装置３０に蓄熱された熱量でもある。
そして、上式を変形すると、
ｔｏｎ・Ｑｏｎ−ｔｏｎ・Ｑｃｙｃｌｅ＝α・Ｔｄｉｆｆ
ｔｏｆｆ・Ｑｃｙｃｌｅ＝α・Ｔｄｉｆｆ
となるが、この式の、ｔｏｎ・Ｑｏｎはコンプレッサ３が動作している間に冷却装置２が二次冷媒から吸収する熱量を意味し、ｔｏｎ・Ｑｃｙｃｌｅはコンプレッサ３が動作している間の冷却対象装置３０における発熱量を意味する。また、ｔｏｆｆ・Ｑｃｙｃｌｅはコンプレッサ３が停止している間の冷却対象装置３０における発熱量を意味する。
【００６０】
以上、本発明の実施の形態について説明したが、本発明が採り得る態様は、何ら上例のものに限定されるものではない。例えば、本発明に係る制御方法では、冷却対象装置３０における発熱量が低く、このため二次冷媒に要する冷却温度がごく僅かであり、要求される冷却出力が低い場合に特に効果的であるが、冷却装置２において、本発明の制御方法が適用される冷却出力領域は、このような低い冷却出力領域に限られるものではなく、高い冷却出力領域に適用しても何ら問題は無い。
【００６１】
繰り返しになるが、上述の実施形態の説明は、すべての点で例示であって、制限的なものではない。当業者にとって変形および変更が適宜可能である。本発明の範囲は、上述の実施形態ではなく、特許請求の範囲によって示される。さらに、本発明の範囲には、特許請求の範囲内と均等の範囲内での実施形態からの変更が含まれる。
【符号の説明】
【００６２】
１    冷却システム
２    冷却装置
３    コンプレッサ
４    凝縮器
４ａ  熱交換器
４ｂ  ファン
４ｃ  モータ
５    膨張器
６    蒸発器
７ａ，７ｂ，７ｃ，７ｄ，９  管路
８    バルブ
１０  対象冷却部
１１  タンク
１２  ポンプ
１３ａ，１３ｂ，１３ｃ，１３ｄ  管路
２０  制御装置
３０  冷却対象装置
【図１】
2020148401.tif 000003
【図２】
2020148401.tif 000004
【図３】
2020148401.tif 000005
【図４】
2020148401.tif 000006
【図５】
2020148401.tif 000007
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
一次冷媒を加圧するコンプレッサと、該コンプレッサにより加圧された一次冷媒を冷却する凝縮器と、該凝縮器により冷却された一次冷媒を膨張させる膨張器と、該膨張器により膨張された一次冷媒によって、冷却対象装置を冷却するための二次冷媒を冷却する蒸発器とを備えた冷却装置の動作を制御する方法であって、
冷却出力を消費電力で除して得られる冷却効率が、その最大値を含む予め定められた範囲内の値となるような冷却出力に設定して前記コンプレッサを動作させるとともに、
前記コンプレッサを断続的に動作させ、前記コンプレッサを動作させる時間ｔｏｎと、停止させる時間ｔｏｆｆとを、下式により算出される時間としたことを特徴とする冷却装置の制御方法。
ｔｏｎ＝α・Ｔｄｉｆｆ／（Ｑｏｎ−Ｑｃｙｃｌｅ）
ｔｏｆｆ＝α・Ｔｄｉｆｆ／（Ｑｃｙｃｌｅ）
但し、αは前記冷却対象装置の熱容量、Ｔｄｉｆｆは前記コンプレッサが稼働している時の前記二次冷媒の温度とコンプレッサが停止している時の前記二次冷媒の温度との温度差、Ｑｏｎは前記冷却出力、Ｑｃｙｃｌｅは、前記冷却対象装置の稼働中に発生する熱量から自然放熱分を除いた熱量の時間当たりの平均値である。